(57)【要約】【課題】構造が簡単で、製造および稼働コストを低減することができる給気用水フィルタ装置および給気浄化方法を提供する。【解決手段】水収容部３ｇは、給気路３ｃの内部で吸気口３ｄと給気口３ｅとの間に設けられている。隔壁４は、給気路３ｃの内部で水収容部３ｇに収容される水の水面との間に水しぶきをあげて通気可能な間隙１５をあけて、吸気口３ｄと給気口３ｅとの間を遮るよう吸気側の水面に対して２０〜４０度の角度で傾斜して配置されている。フィルタ板５は、通気可能であって、間隙１５での通気により発生する水しぶきを遮るよう間隙１５と給気口３ｅとの間に設けられている。制御部１３は、温度センサの検出温度および湿度センサの検出湿度、水位検出装置７の検出水位ならびに送風量検出装置の検出風量に応じて、給水装置９、排水装置１０、加熱冷却装置１１および給気加熱装置１２を制御可能である。【選択図】図１
2005246358.tif 000002
【特許請求の範囲】
【請求項１】
給気路と水収容部と隔壁とフィルタ板とを有し、
前記給気路は吸気口と給気口とを有し、
前記水収容部は前記給気路の内部で前記吸気口と前記給気口との間に設けられ、
前記隔壁は前記給気路の内部で前記水収容部に収容される水の水面との間に水しぶきをあげて通気可能な間隙をあけて前記吸気口と前記給気口との間を遮るよう吸気側の水面に対して２０〜４０度の角度で傾斜して配置され、
前記フィルタ板は通気可能であって前記間隙での通気により発生する水しぶきを遮るよう前記間隙と前記給気口との間に設けられていることを、
特徴とする給気用水フィルタ装置。
【請求項２】
前記給気口に連通する室内に設置された温度センサと、
前記室内に設置された湿度センサと、
前記水収容部の内部に設けられた水位検出装置と、
前記吸気口から前記給気口を介して前記室内に送風量を制御して送風可能な給気ファンと、
前記給気ファンの送風量検出装置と、
前記水収容部に給水可能な給水装置と、
前記水収容部から排水可能な排水装置と、
前記水収容部に収容される水の加熱装置および冷却装置と、
前記温度センサの検出温度および前記湿度センサの検出湿度、前記水位検出装置の検出水位ならびに前記送風量検出装置の検出風量に応じて前記給水装置、前記排水装置、前記加熱装置および前記冷却装置を制御可能な制御部とを、
有することを特徴とする請求項１記載の給気用水フィルタ装置。
【請求項３】
前記給気口と前記室内との間に前記室内への給気を加熱可能な給気加熱装置を有し、
前記制御部は前記温度センサの検出温度および前記湿度センサの検出湿度に応じて前記給気加熱装置を制御可能であることを、
特徴とする請求項２記載の給気用水フィルタ装置。
【請求項４】
吸気口と給気口とを有する給気路の内部で前記吸気口と前記給気口との間に水を収容し、前記給気路の内部で隔壁により前記水の水面との間に間隙をあけて前記吸気口と前記給気口との間を遮り、その間隙を通して水しぶきをあげて通気させ、前記通気量を大きくするとき前記水の水位を下げ、前記通気量を小さくするとき前記水の水位を上げることを、特徴とする給気浄化方法。
【発明の詳細な説明】
【技術分野】
【０００１】
本発明は、一般家庭や事務所などで用いられる給気用水フィルタ装置および給気浄化方法に関する。
【背景技術】
【０００２】
従来の給気用水フィルタ装置および給気浄化方法は、隔壁が水収容部に収容される水に所定量だけ浸漬しており、給気口から空気を吸引すると、吸気口から吸入された空気が水中を通過して、空気中の分散粒子等が水中に捕捉されるようになっている（例えば、特許文献１，２参照）。また、隔壁の下縁部に多数設けられた空隙の下端側の一部が水面下に没しており、空気を吸引すると、水が攪拌されて空隙部分に水膜を形成し、空気が水膜を通過する際に、空気中の油煙や臭いが水膜中に分離するものもある（例えば、特許文献３参照）。さらに、排気パネルの上部に水を汲み上げ、空気の吸引により、排気パネルを通過する空気が水をバブリングして空気中の油脂分を水中に分離するものもある（例えば、特許文献４参照）。
【０００３】
【特許文献１】特開平１−１５９０１５号公報
【特許文献２】登録実用新案第３００４７３４号公報
【特許文献３】特開平７−３１８２３号公報
【特許文献４】特開平１０−２１６４４７号公報
【発明の開示】
【発明が解決しようとする課題】
【０００４】
しかしながら、特許文献１および２記載の給気用水フィルタ装置および給気浄化方法では、空気が水中を通過するためには、給気口から空気を吸引する力を強くする必要があり、装置の稼働時に電気代等のコストが嵩むという課題があった。また、特許文献３記載の隔壁の下縁部に空隙を設ける場合には、隔壁の形状が複雑となり、製造コストが嵩むという課題があった。さらに、特許文献４記載の排気パネルの上部に水を汲み上げる場合には、装置全体の構造が複雑化し、製造コストおよび汲み上げ装置の稼働コストが嵩むという課題があった。
【０００５】
本発明は、このような従来の課題に着目してなされたもので、構造が簡単で、製造および稼働コストを低減することができる給気用水フィルタ装置および給気浄化方法を提供することを目的とする。
【課題を解決するための手段】
【０００６】
上記目的を達成するために、本発明に係る給気用水フィルタ装置は、給気路と水収容部と隔壁とフィルタ板とを有し、前記給気路は吸気口と給気口とを有し、前記水収容部は前記給気路の内部で前記吸気口と前記給気口との間に設けられ、前記隔壁は前記給気路の内部で前記水収容部に収容される水の水面との間に水しぶきをあげて通気可能な間隙をあけて前記吸気口と前記給気口との間を遮るよう吸気側の水面に対して２０〜４０度の角度で傾斜して配置され、前記フィルタ板は通気可能であって前記間隙での通気により発生する水しぶきを遮るよう前記間隙と前記給気口との間に設けられていることを、特徴とする。
【０００７】
本発明に係る給気用水フィルタ装置は、吸気口から空気を吸引し、給気路を通して給気口から空気を排出する。このとき、隔壁と水収容部に収容される水の水面との間隙を、水しぶきをあげて通気させるため、空気中の塵埃等が水しぶきに吸着されて、空気を浄化することができる。空気中の塵埃等を吸着した水しぶきは、フィルタ板によって遮られる。水しぶきに吸着されなかった空気中の塵埃等は、水しぶきがフィルタ板に当たって流れる水の膜に吸着させることができる。このため、フィルタ板の間隙から、浄化した空気のみを給気口側へと通気させることができる。また、水しぶきの間を通った空気が供給されるため、供給される空気の湿度を高めることができる。
【０００８】
本発明者らは、実験の結果、吸気側の水面に対する隔壁の角度を変化させることにより、水しぶきの飛散量および水滴の大きさが変化することを発見した。さらに実験の結果、隔壁が吸気側の水面に対して２０〜４０度の角度で傾斜しているとき、水しぶきの飛散量が最も多くなり、水滴の大きさが最も小さくなることを発見した。本発明者らは、この原因を、吸気口から吸引された空気が傾斜した隔壁に沿ってスムーズに間隙へ流れるためであると推測した。これにより、水しぶきに吸着される空気中の塵埃等の量が増えて除塵効果が高くなる。また、供給される空気に含まれる水の量が増えるため、加湿効果が高くなり、水収容部の水から空気への熱伝導効率もよくなる。
【０００９】
本発明に係る給気用水フィルタ装置は、隔壁と水収容部に収容される水の水面との間に間隙があいているため、水中を通して空気を通気させる場合に比べて、空気の吸引力が弱くても容易に通気することができ、空気の吸引に用いるファンの電気代等の稼働コストを低減することができる。隔壁に空隙を設けるなどの複雑な加工や、汲み上げ装置などの付加的な装置を必要としないため、装置の構造が簡単となり、製造および稼働コストを低減することができる。
【００１０】
また、通気の際に水しぶきをあげるため、マイナスイオンを発生させることができる。マイナスイオンは、人体の免疫力や自然治癒力を高める効果等があるといわれており、室内に供給することにより居住者の健康に資することができる。
【００１１】
本発明に係る給気用水フィルタ装置は、吸気口を室内に、給気口を室外に設置しても良く、吸気口を室外に、給気口を室内に設置しても良い。吸気口および給気口をともに室内に設置しても良い。また、吸気口で空気を吸引して給気口側へ送風しても、給気口より下流で吸気口側から空気を吸引してもよい。
【００１２】
本発明に係る給気用水フィルタ装置は、前記給気口に連通する室内に設置された温度センサと、前記室内に設置された湿度センサと、前記水収容部の内部に設けられた水位検出装置と、前記吸気口から前記給気口を介して前記室内に送風量を制御して送風可能な給気ファンと、前記給気ファンの送風量検出装置と、前記水収容部に給水可能な給水装置と、前記水収容部から排水可能な排水装置と、前記水収容部に収容される水の加熱装置および冷却装置と、前記温度センサの検出温度および前記湿度センサの検出湿度、前記水位検出装置の検出水位ならびに前記送風量検出装置の検出風量に応じて前記給水装置、前記排水装置、前記加熱装置および前記冷却装置を制御可能な制御部とを、有することが好ましい。
【００１３】
この制御部を有する構成では、水収容部の内部に設けられた水位検出装置の検出水位に応じて、制御部により給水装置および排水装置を制御し、水収容部に収容される水の水位を変化させ、隔壁と水面との間隙を調節することができる。これにより、例えば、送風量検出装置による検出風量に応じて、給気ファンによる送風量が多いとき水収容部に収容される水の水位を下げ、送風量が少ないとき水の水位を上げることができる。このため、送風量の増減にかかわらず、水しぶきの飛散量および水滴の大きさを一定に保つことができ、所定の除塵効果を得ることができる。なお、給気ファンは送風量を連続的に変化させるよう制御可能で、送風量検出装置は給気ファンの送風量を連続的に検出可能であっても、また、給気ファンは送風量を例えば強・中・弱のように段階的に変化させるよう制御可能で、送風量検出装置は給気ファンの送風量が段階的に変化するたびに送風量を検出可能であってもよい。
【００１４】
また、室内に設置された温度センサの検出温度および室内に設置された湿度センサの検出湿度に応じて、制御部により加熱装置および冷却装置を制御することができる。加熱装置および冷却装置は、水収容部の内部の水を加熱または冷却する。加熱または冷却された水の水面と隔壁との間隙を空気が通る際に、空気と水との間で熱交換が行われ、浄化された暖かい空気または冷たい空気を室内に供給することができる。これにより、室内を最適な温度および湿度に調節することができる。
【００１５】
さらに、本発明に係る給気用水フィルタ装置は、前記給気口と前記室内との間に前記室内への給気を加熱可能な給気加熱装置を有し、前記制御部は前記温度センサの検出温度および前記湿度センサの検出湿度に応じて前記給気加熱装置を制御可能であってもよい。この給気加熱装置を有する構成では、室内の温度および湿度に応じて、給気口から室内へ送られる空気を給気加熱装置により加熱することができる。これにより、空気が給気口から室内に送られるまでの間に冷えて結露し水分量が低下するのを防ぎ、室内の温度および湿度を効率良く調節することができる。
【００１６】
本発明に係る給気浄化方法は、吸気口と給気口とを有する給気路の内部で前記吸気口と前記給気口との間に水を収容し、前記給気路の内部で隔壁により前記水の水面との間に間隙をあけて前記吸気口と前記給気口との間を遮り、その間隙を通して水しぶきをあげて通気させ、前記通気量を大きくするとき前記水の水位を下げ、前記通気量を小さくするとき前記水の水位を上げることを、特徴とする。この方法によれば、通気量の増減にかかわらず、水しぶきの飛散量および水滴の大きさを一定に保つことができ、所定の除塵効果を得ることができる。
【発明の効果】
【００１７】
本発明によれば、構造が簡単で、製造および稼働コストを低減することができる給気用水フィルタ装置および給気浄化方法を提供することができる。
【発明を実施するための最良の形態】
【００１８】
以下、図面に基づき、本発明の実施の形態について説明する。
図１乃至図３は、本発明の実施の形態を示している。
図１に示すように、給気用水フィルタ装置１は、基部２と本体３と２枚の隔壁４と２枚のフィルタ板５と給気ダクト６と温度センサ（図示せず）と湿度センサ（図示せず）と水位検出装置７と給気ファン８と送風量検出装置（図示せず）と給水装置９と排水装置１０と加熱冷却装置１１と給気加熱装置１２と制御部１３とを有している。
【００１９】
図１に示すように、基部２は側壁と底部とを有し、内部に収容室２ａを有している。
本体３は、ステンレス製のほぼ直方体状の函体から成り、基部２の上に設置されている。本体３は、対向する２つの側面の上部にそれぞれ２つの吸気フード３ａを有している。本体３の上部中央には、給気ダクト接続部３ｂが設けられている。本体３は、内部に２つの吸気フード３ａから給気ダクト接続部３ｂまで連通する給気路３ｃを有している。給気路３ｃは、吸気フード３ａに吸気口３ｄを有し、給気ダクト接続部３ｂに給気口３ｅを有している。吸気口３ｄは、吸気フード３ａにより下側を向いている。本体３は、下面中央に排水口３ｆを有し、排水口３ｆに向かって下面がやや傾斜している。本体３の内側底部には、水収容部３ｇが形成されている。水収容部３ｇは、給気路３ｃの内部で吸気口３ｄと給気口３ｅとの間に配置されている。水収容部３ｇには、通常、水を所定の高さまで貯めておく。
【００２０】
２枚の隔壁４は、それぞれステンレス製の矩形の板から成り、給気路３ｃの内部で本体３の側面に固定されている。各隔壁４は、上縁部および両側縁部が本体３の内面に隙間がないよう密接して取り付けられている。各隔壁４は、その下縁部と水収容部３ｇに収容される水の水面との間に、水しぶき１４をあげて通気可能な間隙１５をあけて、吸気口３ｄと給気口３ｅとの間を遮るよう配置されている。各隔壁４は、図２（ａ）に示す吸気側の水面に対する角度を変化させて行った実験の結果に基づき、水しぶき１４の飛散量が最も多くなり、水滴の大きさが最も小さくなるよう、図２（ｂ）に示すように、吸気口３ｄ側の水面に対して２０〜４０度の角度４ａで傾斜して配置されている。
【００２１】
各フィルタ板５は、ステンレス製のバッフル型グリスフィルターから成る。図１に示すように、２枚のフィルタ板５は、給気路３ｃの内部の間隙１５と給気口３ｅとの間で、水収容部３ｇの上方に、給気路３ｃを遮断するように設けられている。各フィルタ板５は、上縁部が本体３の上面の隔壁４に近い位置に取り付けられ、下縁部が互いに接続されて、互いに給気口３ｅを挟んで断面がＶ字型をなしている。各フィルタ板５は、間隙１５での通気により発生する水しぶき１４を遮るとともに、吸気口３ｄから給気口３ｅへ通気することができるようになっている。
【００２２】
給気ダクト６は、ステンレス製で、一端が本体３の給気ダクト接続部３ｂに接続され、他端が室内の換気口に接続されている。給気ダクト６は、給気口３ｅと室内とを連通して取り付けられている。
温度センサおよび湿度センサは、給気口３ｅに連通する室内に設置されている。
水位検出装置７は、静電容量式液面計から成り、水収容部３ｇに収容される水の水位を検出可能に水収容部３ｇの内部に設けられている。
【００２３】
給気ファン８は、吸気口３ｄから給気口３ｅを介して室内に送風可能に、給気ダクト６の中央部に取り付けられている。給気ファン８は、任意に連続的に送風量を設定可能であり、設定風量に応じてファンの回転数を制御し、送風量を連続的に変化させるよう制御可能である。
送風量検出装置は、給気ファン８の内部に設けられ、給気ファン８の送風量を連続的に検出可能である。
給水装置９は、先端に給水バルブ９ａを有し、給水バルブ９ａを水収容部３ｇに向けて本体３の内部上面に設けられている。給水装置９は、水道管に接続され、水収容部３ｇに給水可能に設けられている。
排水装置１０は、排水バルブ１０ａが設けられた排水管１０ｂを有し、基部２の収容室２ａの内部に設けられている。排水装置１０は、排水管１０ｂが本体３の排水口３ｆに接続され、水収容部３ｇから排水可能に設けられている。
【００２４】
加熱冷却装置１１は、チラーから成る。加熱冷却装置１１は、水収容部３ｇに連通した吸引パイプ１１ａおよび排出パイプ１１ｂを有している。加熱冷却装置１１は、水収容部３ｇに収容される水を吸引パイプ１１ａから吸引し、加熱または冷却して排出パイプ１１ｂから水収容部３ｇに排出し、水収容部３ｇに収容される水を加熱および冷却可能に構成されている。なお、加熱冷却装置１１は、水収容部３ｇの中に冷媒循環パイプを設け、冷媒循環パイプの内部で冷媒を循環させて水を加熱および冷却可能に構成されていてもよい。
給気加熱装置１２は、加熱コイル１２ａを有し、給気口３ｅと給気ファン８との間の給気ダクト６に取り付けられている。給気加熱装置１２は、室内への給気を加熱コイル１２ａにより加熱可能に構成されている。
【００２５】
制御部１３は、コンピュータから成り、基部２の収容室２ａの内部に設けられている。制御部１３は、温度センサ、湿度センサ、水位検出装置７、送風量検出装置、給水装置９の給水バルブ９ａ、排水装置１０の排水バルブ１０ａ、加熱冷却装置１１および給気加熱装置１２に接続されている。制御部１３は、メモリと検出入力手段と比較手段と制御信号出力手段とを有し、給水装置９、排水装置１０、加熱冷却装置１１および給気加熱装置１２を制御可能に構成されている。
【００２６】
メモリは、任意に変更可能な室内の設定温度および設定湿度の室内設定条件を記憶するよう構成されている。検出入力手段は、温度センサの検出温度および湿度センサの検出湿度、水位検出装置７の検出水位ならびに送風量検出装置の検出風量を入力するよう構成されている。比較手段は、検出入力手段により入力した検出温度および検出湿度と、メモリに記憶した設定温度および設定湿度とを比較するよう構成されている。制御信号出力手段は、比較手段による比較結果ならびに検出入力手段により入力した検出水位および検出風量に応じて、室内がメモリに記憶した設定温度および設定湿度になるよう、給水装置９、排水装置１０、加熱冷却装置１１および給気加熱装置１２に制御信号を出力するよう構成されている。
【００２７】
次に、作用について説明する。
給気用水フィルタ装置１は、屋外に設置され、給気ファン８を稼働させることにより稼働する。図３に示すように、給気用水フィルタ装置１は、吸気口３ｄから屋外の空気を吸引し、給気路３ｃ、給気口３ｅおよび給気ダクト６を通って、室内に空気を供給する。このとき、隔壁４と水収容部３ｇに収容される水の水面との間隙１５を、水しぶき１４をあげて通気させるため、空気中の塵埃等が水しぶき１４に吸着されて、空気を浄化することができる。空気中の塵埃等を吸着した水しぶき１４は、フィルタ板５によって遮られる。水しぶき１４に吸着されなかった空気中の塵埃等は、水しぶき１４がフィルタ板５に当たって流れる水の膜に吸着させることができる。このため、フィルタ板５の間隙１５から、浄化した空気のみを給気口３ｅ側へと通気させることができる。また、水しぶき１４の間を通った空気が供給されるため、供給される空気の湿度を高めることができる。
【００２８】
各隔壁４が吸気口３ｄ側の水面に対して２０〜４０度の角度で傾斜して配置されているため、他の角度の場合に比べて、水しぶき１４の飛散量が多く、水滴の大きさが小さい。このため、水しぶき１４に吸着される空気中の塵埃等の量が多く、除塵効果が高い。また、供給される空気に含まれる水の量が多いため、加湿効果が高く、水収容部３ｇの水から空気への熱伝導効率もよい。
【００２９】
給気用水フィルタ装置１は、隔壁４と水収容部３ｇに収容される水の水面との間に間隙１５があいているため、水中を通して空気を通気させる場合に比べて、空気の吸引力が弱くても容易に通気することができ、空気の吸引に用いるファンの電気代等の稼働コストを低減することができる。隔壁４に空隙を設けるなどの複雑な加工や、汲み上げ装置などの付加的な装置を必要としないため、装置の構造が簡単となり、製造および稼働コストを低減することができる。
【００３０】
また、図３に示すように、通気の際に水しぶき１４をあげるため、マイナスイオンを発生させることができる。マイナスイオンは、人体の免疫力や自然治癒力を高める効果等があるといわれており、室内に供給することにより居住者の健康に資することができる。
【００３１】
図１に示すように、給気用水フィルタ装置１および給気浄化方法は、水収容部３ｇの内部に設けられた水位検出装置７の検出水位に応じて、制御部１３により給水装置９および排水装置１０を制御し、水収容部３ｇに収容される水の水位を変化させ、隔壁４と水面との間隙１５を調節することができる。これにより、例えば、送風量検出装置による検出風量に応じて、給気ファン８による送風量が多いとき水収容部３ｇに収容される水の水位を下げ、送風量が少ないとき水の水位を上げることができる。このため、送風量の増減にかかわらず、水しぶき１４の飛散量および水滴の大きさを一定に保つことができ、所定の除塵効果を得ることができる。
【００３２】
給気用水フィルタ装置１は、室内に設置された温度センサの検出温度および室内に設置された湿度センサの検出湿度に応じて、制御部１３により加熱冷却装置１１を制御することができる。加熱冷却装置１１は、水収容部３ｇの内部の水を加熱または冷却する。加熱または冷却された水の水面と隔壁４との間隙１５を空気が通る際に、空気と水との間で熱交換が行われ、浄化された暖かい空気または冷たい空気を室内に供給することができる。これにより、室内を設定温度および設定湿度に調節することができる。
【００３３】
また、室内の温度および湿度に応じて、給気口３ｅから室内へ送られる空気を給気加熱装置１２により加熱することができる。これにより、空気が給気口３ｅから室内に送られるまでの間に冷えて結露し水分量が低下するのを防ぎ、室内の温度および湿度を効率良く調節することができる。
【００３４】
給気用水フィルタ装置１および給気浄化方法は、温度センサにより室内が設定温度より低いとき、制御部１３により加熱冷却装置１１を制御して水収容部３ｇの内部の水を加熱する。室内を急速に暖房するときなど、給気ファン８の送風量が多く設定されたときには、制御部１３により排水装置１０で排水して水収容部３ｇの水位を下げる。室内を徐々に暖房するときや保温するときなど、給気ファン８の送風量が少なく設定されたときには、制御部１３により給水装置９で給水して水収容部３ｇの水位を上げる。具体的な一例では、水の温度を３１〜３５度に加熱し、水位検出装置７の検出水位に基づいて隔壁４と水面との間隙１５を常態で５ｍｍ、変化させるときには１ｍｍ〜３ｃｍの間で水位を調節する。これにより、室内温度を３５度まで上げることができる。
【００３５】
温度センサにより室内が設定温度より高いとき、制御部１３により加熱冷却装置１１を制御して水収容部３ｇの内部の水を冷却する。室内を急速に冷房するときなど、給気ファン８の送風量が多く設定されたときには、制御部１３により排水装置１０で排水して水収容部３ｇの水位を下げる。室内を徐々に冷房するときや保温するときなど、給気ファン８の送風量が少なく設定されたときには、制御部１３により給水装置９で給水して水収容部３ｇの水位を上げる。具体的な一例では、水の温度を５〜１０度に冷却し、水位検出装置７の検出水位に基づいて隔壁４と水面との間隙１５を常態で５ｍｍ、変化させるときには１ｍｍ〜３ｃｍの間で水位を調節する。これにより、室内温度を５度まで下げることができる。
【００３６】
湿度センサにより室内が設定湿度より低いとき、制御部１３により給水装置９で給水して水収容部３ｇの水位を上げる。また、制御部１３により給気加熱装置１２を稼働させる。湿度センサにより室内が設定湿度より高いとき、制御部１３により排水装置１０で排水して水収容部３ｇの水位を下げる。また、制御部１３により給気加熱装置１２を止める。
このように、給気用水フィルタ装置１および給気浄化方法は、室内を設定温度および設定湿度に調節することができる。
【図面の簡単な説明】
【００３７】
【図１】本発明の実施の形態の給気用水フィルタ装置を示す縦断面図である。
【図２】図１の給気用水フィルタ装置の（ａ）隔壁の角度を変化させた実験状況を示す拡大縦断面図、（ｂ）その実験結果を示す拡大縦断面図。
【図３】図１の給気用水フィルタ装置の稼働状態を示す縦断面図である。
【符号の説明】
【００３８】
１    給気用水フィルタ装置
２    基部
３    本体
４    隔壁
５    フィルタ板
６    給気ダクト
７    水位検出装置
８    給気ファン
９    給水装置
１０  排水装置
１１  加熱冷却装置
１２  給気加熱装置
１３  制御部
１４  水しぶき
１５  間隙
【図１】
2005246358.tif 000003
【図２】
2005246358.tif 000004
【図３】
2005246358.tif 000005